(57)【要約】【課題】本考案は、商品を収容した商品収容体を立てた状態で整然と多段に安定した状態で積み重ねて配置することができる商品陳列什器を提供する。【解決手段】商品陳列什器１０はトレー体１２と、このトレー体１２に着脱可能に取り付けることができる商品収容体１４と、から構成されている。トレー体１２の第１側面立上体２６の天板部３０には平面視三角形状の第１差込開口３２が複数形成され、第２側面立上体２８の天板部３４にも平面視三角形状の第２差込開口３６が複数形成されている。前記商品収容体１４はケース体４０とケース体台紙４２とから形成されている。ケース体台紙４２の一側には平面視三角形状の第１差込部６６が形成され、他側にも平面視三角形状の第２差込部７４が形成されている。【選択図】図１
0003180222.tif 000002
【実用新案登録請求の範囲】
【請求項１】
トレー体と、このトレー体に着脱可能に取り付けられる複数の商品収容体と、を備えてなる商品陳列什器であって、前記トレー体の底面に設けられた底面体と、この底面体の第１側面側に立設された第１側面立上体と、前記底面体の第２側面側に立設された第２側面立上体と、前記第１側面立上体の天板部に複数形成された第１差込開口と、前記第２側面立上体の天板部に複数形成された第２差込開口と、前記商品収容体を構成すると共に商品が収容されるケース体と、前記商品収容体を前記ケース体と構成すると共にケース体が取り付けられるケース体台紙と、このケース体台紙の一側に形成されると共に前記第１差込開口に差し込み可能な第１差込部と、前記ケース体台紙の他側に形成されると共に前記第２差込開口に差し込み可能な第２差込部と、を有してなることを特徴とする商品陳列什器。
【請求項２】
トレー体と、このトレー体に着脱可能に取り付けられる複数の商品収容体と、を備えてなる商品陳列什器であって、前記トレー体の底面に設けられた底面体と、この底面体の第１側面側に立設された第１側面立上体と、前記底面体の第２側面側に立設された第２側面立上体と、前記第１側面立上体の天板部に間隔を設けて複数形成された平面視多角形状の第１差込開口と、前記第２側面立上体の天板部に間隔を設けて複数形成された平面視多角形状の第２差込開口と、前記商品収容体を構成すると共に商品が収容されるケース体と、前記商品収容体を前記ケース体と構成すると共にケース体が取り付けられるケース体台紙と、このケース体台紙の一側に形成されると共に前記第１差込開口に差し込み可能な平面視多角形状の第１差込部と、前記ケース体台紙の他側に形成されると共に前記第２差込開口に差し込み可能な平面視多角形状の第２差込部と、を有してなることを特徴とする商品陳列什器。
【請求項３】
トレー体と、このトレー体に着脱可能に取り付けられる複数の商品収容体と、を備えてなる商品陳列什器であって、前記トレー体の上面に開放して形成された開口部と、前記トレー体の底面に設けられた底面体と、この底面体の第１側面側に立設された第１側面立上体と、前記底面体の第２側面側に立設された第２側面立上体と、前記第１側面立上体の天板部に第１側面立上体に沿って間隔を設けて複数形成された平面視多角形状の第１差込開口と、前記第２側面立上体の天板部に第２側面立上体に沿って間隔を設けて複数形成されると共に前記第１差込開口と対向して形成された平面視多角形状の第２差込開口と、前記商品収容体を構成すると共に商品が収容されるケース体と、このケース体の背面に形成された商品取出開口部と、前記商品収容体を前記ケース体と共に構成するケース体台紙と、このケース体台紙の中央プレート部に貫通形成されると共に前記ケース体が挿入されるケース体挿入開口部と、前記中央プレート部に折線を介して連続形成された開口部開閉片と、前記中央プレート部の一側に折線を介して連続形成された第１差込部形成片と、この第１差込部形成片に形成されると共に平面視多角形状の第１差込部を形成する第１差込部形成折曲線と、前記中央プレート部の他側に折線を介して連続形成された第２差込部形成片と、この第２差込部形成片に形成されると共に平面視多角形状の第２差込部を形成する第２差込部形成折曲線と、を有してなることを特徴とする商品陳列什器。
【請求項４】
トレー体と、このトレー体に着脱可能に取り付けられる複数の商品収容体と、を備えてなる商品陳列什器であって、前記トレー体の上面に開放して形成された開口部と、前記トレー体の底面に設けられた底面体と、この底面体の正面側に立設された正面立上体と、この正面立上体に切り欠き形成された正面立上体切欠部と、前記底面体の背面側に立設された背面立上体と、前記底面体の第１側面側に立設された第１側面立上体と、前記底面体の第２側面側に立設された第２側面立上体と、前記第１側面立上体の天板部に第１側面立上体に沿って間隔を設けて複数形成された平面視三角形状の第１差込開口と、前記第２側面立上体の天板部に第２側面立上体に沿って間隔を設けて複数形成されると共に前記第１差込開口と対向して形成された平面視三角形状の第２差込開口と、前記商品収容体を構成すると共に商品が収容されるケース体と、このケース体の背面に形成された商品取出開口部と、前記商品収容体を前記ケース体と共に構成するケース体台紙と、このケース体台紙の中央プレート部に貫通形成されると共に前記ケース体が挿入されるケース体挿入開口部と、前記中央プレート部に折線を介して連続形成された開口部開閉片と、前記中央プレート部の一側に折線を介して連続形成された第１差込部形成片と、この第１差込部形成片に形成されると共に平面視三角形状の第１差込部を形成する複数の第１差込部形成折曲線と、前記中央プレート部の他側に折線を介して連続形成された第２差込部形成片と、この第２差込部形成片に形成されると共に平面視三角形状の第２差込部を形成する複数の第２差込部形成折曲線と、を有してなることを特徴とする商品陳列什器。
【考案の詳細な説明】
【技術分野】
【０００１】
本考案は、主に店舗で商品を販売する場合等に使用される商品陳列什器に関する。
【背景技術】
【０００２】
比較的小さい商品を多数販売する場合等は店舗の売場面積の関係から商品を収容した包装用容器を多段に積み重ねた状態で販売する場合がある。
しかし、商品を収容した包装用容器を多段に積み重ねると消費者にとっては多段に積み重ねられている包装用容器に収容された商品が見難くなるという不具合がある。
また、包装用容器を多段に積み重ねると歩行中の消費者等が包装用容器に当たって包装用容器が崩れて消費者が危険にさらされる可能性がある。
さらに、多段に積み重ねた包装用容器が何かの拍子で崩れた場合は崩れた包装用容器を再度積み重ね直さなければならず、店舗従業員に余計な作業や負担を強いることになるという不具合がある。
【考案の概要】
【考案が解決しようとする課題】
【０００３】
本考案は、上記事実に鑑みなされたものであり、商品を収容した商品収容体を立てた状態で整然と多段に安定した状態で積み重ねて配置することができる商品陳列什器を提供するものである。
【課題を解決するための手段】
【０００４】
請求項１の考案は、トレー体と、このトレー体に着脱可能に取り付けられる複数の商品収容体と、を備えてなる商品陳列什器であって、前記トレー体の底面に設けられた底面体と、この底面体の第１側面側に立設された第１側面立上体と、前記底面体の第２側面側に立設された第２側面立上体と、前記第１側面立上体の天板部に複数形成された第１差込開口と、前記第２側面立上体の天板部に複数形成された第２差込開口と、前記商品収容体を構成すると共に商品が収容されるケース体と、前記商品収容体を前記ケース体と構成すると共にケース体が取り付けられるケース体台紙と、このケース体台紙の一側に形成されると共に前記第１差込開口に差し込み可能な第１差込部と、前記ケース体台紙の他側に形成されると共に前記第２差込開口に差し込み可能な第２差込部と、を有してなることを特徴としている。
請求項２の考案は、トレー体と、このトレー体に着脱可能に取り付けられる複数の商品収容体と、を備えてなる商品陳列什器であって、前記トレー体の底面に設けられた底面体と、この底面体の第１側面側に立設された第１側面立上体と、前記底面体の第２側面側に立設された第２側面立上体と、前記第１側面立上体の天板部に間隔を設けて複数形成された平面視多角形状の第１差込開口と、前記第２側面立上体の天板部に間隔を設けて複数形成された平面視多角形状の第２差込開口と、前記商品収容体を構成すると共に商品が収容されるケース体と、前記商品収容体を前記ケース体と構成すると共にケース体が取り付けられるケース体台紙と、このケース体台紙の一側に形成されると共に前記第１差込開口に差し込み可能な平面視多角形状の第１差込部と、前記ケース体台紙の他側に形成されると共に前記第２差込開口に差し込み可能な平面視多角形状の第２差込部と、を有してなることを特徴としている。
請求項３の考案は、トレー体と、このトレー体に着脱可能に取り付けられる複数の商品収容体と、を備えてなる商品陳列什器であって、前記トレー体の上面に開放して形成された開口部と、前記トレー体の底面に設けられた底面体と、この底面体の第１側面側に立設された第１側面立上体と、前記底面体の第２側面側に立設された第２側面立上体と、前記第１側面立上体の天板部に第１側面立上体に沿って間隔を設けて複数形成された平面視多角形状の第１差込開口と、前記第２側面立上体の天板部に第２側面立上体に沿って間隔を設けて複数形成されると共に前記第１差込開口と対向して形成された平面視多角形状の第２差込開口と、前記商品収容体を構成すると共に商品が収容されるケース体と、このケース体の背面に形成された商品取出開口部と、前記商品収容体を前記ケース体と共に構成するケース体台紙と、このケース体台紙の中央プレート部に貫通形成されると共に前記ケース体が挿入されるケース体挿入開口部と、前記中央プレート部に折線を介して連続形成された開口部開閉片と、前記中央プレート部の一側に折線を介して連続形成された第１差込部形成片と、この第１差込部形成片に形成されると共に平面視多角形状の第１差込部を形成する第１差込部形成折曲線と、前記中央プレート部の他側に折線を介して連続形成された第２差込部形成片と、この第２差込部形成片に形成されると共に平面視多角形状の第２差込部を形成する第２差込部形成折曲線と、を有してなることを特徴としている。
請求項４の考案は、トレー体と、このトレー体に着脱可能に取り付けられる複数の商品収容体と、を備えてなる商品陳列什器であって、前記トレー体の上面に開放して形成された開口部と、前記トレー体の底面に設けられた底面体と、この底面体の正面側に立設された正面立上体と、この正面立上体に切り欠き形成された正面立上体切欠部と、前記底面体の背面側に立設された背面立上体と、前記底面体の第１側面側に立設された第１側面立上体と、前記底面体の第２側面側に立設された第２側面立上体と、前記第１側面立上体の天板部に第１側面立上体に沿って間隔を設けて複数形成された平面視三角形状の第１差込開口と、前記第２側面立上体の天板部に第２側面立上体に沿って間隔を設けて複数形成されると共に前記第１差込開口と対向して形成された平面視三角形状の第２差込開口と、前記商品収容体を構成すると共に商品が収容されるケース体と、このケース体の背面に形成された商品取出開口部と、前記商品収容体を前記ケース体と共に構成するケース体台紙と、このケース体台紙の中央プレート部に貫通形成されると共に前記ケース体が挿入されるケース体挿入開口部と、前記中央プレート部に折線を介して連続形成された開口部開閉片と、前記中央プレート部の一側に折線を介して連続形成された第１差込部形成片と、この第１差込部形成片に形成されると共に平面視三角形状の第１差込部を形成する複数の第１差込部形成折曲線と、前記中央プレート部の他側に折線を介して連続形成された第２差込部形成片と、この第２差込部形成片に形成されると共に平面視三角形状の第２差込部を形成する複数の第２差込部形成折曲線と、を有してなることを特徴としている。
【考案の効果】
【０００５】
本考案の商品陳列什器は、商品が収容された商品収容体を立てた状態で整然と配設できるので商品を見易い状態で陳列することができると共に消費者が商品を見落とすことを少なくすることができるという優れた効果を有する。
本考案の商品陳列什器は、整然と確実に積み重ねることができるので、多段に積み重ねても商品陳列什器が崩れたりする可能性を極めて低くすることができると共に限られた売場面積を有効活用することができるという優れた効果を有する。
さらに、本考案の商品陳列什器は、商品はトレー体に取り付けられる商品収容体に収容されているので万引き防止に役立つという優れた効果を有する。
【図面の簡単な説明】
【０００６】
【図１】実施例の商品陳列什器の全体斜視図である。
【図２】実施例の商品陳列什器のトレー体と商品収容体の斜視図である。
【図３】実施例の商品陳列什器のトレー体の平面図である。
【図４】実施例の商品陳列什器の商品収容体の背面図とトレー体台紙の展開図である。
【図５】実施例の商品陳列什器の商品収容体の平面図である。
【図６】実施例の商品陳列什器の使用状態図である。
【考案を実施するための形態】
【０００７】
考案を実施するために最良の形態の例として以下のような実施例を示す。
【実施例１】
【０００８】
図１〜図６には本考案に商品陳列什器の一実施例が示されている。
図１に示されるように、商品陳列什器１０はトレー体１２と、このトレー体１２に着脱可能に取り付けることができる複数(実施例では５個)の商品収容体１４と、から構成されている。
図２に示されるように、前記トレー体１２は段ボール紙を折り曲げて箱状に形成されている。このトレー体１２の上面は大きく開放され開口部１６が形成されている。また、トレー体１２の底面には平板状で平面視矩形状の底面体１８が形成されている。
この底面体１８の正面側には正面立上体２０が立設されている。この正面立上体２０には正面立上体切欠部２２が切り欠き形成されている。前記底面体１８の背面側には背面立上体２４が立設されている。また、前記底面体１８の第１側面側には第１側面立上体２６が立設され、前記底面体１８の第２側面側には第２側面立上体２８が立設されている。
前記第１側面立上体２６の天板部３０には第１側面立上体２６に沿って第１差込開口３２が間隔を設けて複数（実施例では５個）切り欠き形成されている。この第１差込開口３２は平面視多角形状としての平面視三角形状に形成されている（図３参照）。
また、前記第２側面立上体２８の天板部３４にも第２側面立上体２８に沿って第２差込開口３６が間隔を設けて複数（実施例では５個）切り欠き形成されている。これら第２差込開口３６も平面視多角形状としての平面視三角形状に形成されている（図３参照）。
図２及び図３に示されるように、前記第１差込開口３２と前記第２差込開口３６は互いに対向して形成されている。
図２及び図５に示されるように、前記商品収容体１４はケース体４０とケース体台紙４２とから形成され、ケース体４０はケース体台紙４２に着脱可能に取り付けられるようになっている。このケース体４０は商品（図示せず）を収容する部材であり、透明な合成樹脂材で箱状に形成されている。
図４に示されるように、このケース体４０の背面には商品取出開口部４４が形成され、商品取出開口部４４を介してケース体４０の内部に設けられた商品収容スペース４６に商品を出し入れできるようになっている。前記ケース体４０の背面には連続して係止片４８が４片形成されている。
前記ケース体台紙４２は厚紙で形成されている。このケース体台紙４２の矩形状に形成された中央プレート部５０の中央にはケース体挿入開口部５２が貫通形成されている。このケース体挿入開口部５２には前記ケース体４０が挿入され、ケース体４０の係止片４８が前記ケース体台紙４２の中央プレート部５０に係止することにより前記ケース体４０はケース体台紙４２に取り付けられるようになっている。
前記中央プレート部５０の上側には折線としての第１折線５４を介して開口部開閉片５６が連続形成され、前記中央プレート部５０の下側には折線としての第２折線５８を介して折曲片６０が連続形成されている。
この開口部開閉片５６を第１折線５４で折り曲げることにより、前記ケース体４０の係止片４８は中央プレート部５０と開口部開閉片５６によって挟まれるので前記ケース体４０はケース体台紙４２に確実に取り付けられる。また、開口部開閉片５６を折り曲げることにより、開口部開閉片５６が商品取出開口部４４を閉じるためケース体４０に収容された商品が脱落しないようになっている。
前記中央プレート部５０の一側には折線としての第３折線６２を介して第１差込部形成片６４が連続形成されている。この第１差込部形成片６４には第１差込部形成折曲線６４Ａ，６４Ａが形成されている。この第１差込部形成折曲線６４Ａ、６４Ｂを折り曲げることにより平面視多角形状としての平面視三角形状の第１差込部６６（図５参照）が形成されるようになっている。
また、前記中央プレート部５０の他側には折線としての第４折線７０を介して第２差込部形成片７２が連続形成されている。この第２差込部形成片７２には第２差込部形成折曲線７２Ａ，７２Ａが形成されている。この第２差込部形成折曲線７２Ａ，７２Ａを折り曲げることにより平面視多角形状としての平面視三角形状の第２差込部７４（図５参照）が形成されるようになっている。
図１及び図３に示されるように、前記ケース体台紙４２の一側には平面視三角形状の第１差込部６６が形成され、他側には平面視三角形状の第２差込部７４が形成されるので、前記第１差込部６６は前記第１差込開口３２にフィットした状態で挿入され、前記第２差込部７４はフィットした状態で前記第２差込開口３６に挿入されるようになっている。
【０００９】
次に、実施例の商品陳列什器１０の作用を説明する。
前記商品陳列什器１０を使用する場合は、展開した状態のケース体台紙４２のケース体挿入開口部５２にケース体４０を挿入してケース体４０の商品取出開口部４４から商品をケース体４０の商品収容スペース４６に収容する。
次に、前記折曲片６０を第２折線５８で折り曲げ、開口部開閉片５６を第１折線５４で折り曲げて接着剤等で開口部開閉片５６を折曲片６０に接着する。これにより、ケース体４０の商品取出開口部４４は開口部開閉片５６によって閉じられるのでケース体４０に収容された商品が脱落するのを防止できる。
また、第３折線６２を介して第１差込部形成片６４を折り曲げると共に第１差込部形成折曲線６４Ａ，６４Ａで第１差込部形成片６４を折り曲げて平面視三角形状の第１差込部６６を形成する。なお、第１差込部形成片６４が平面視三角形状を維持すべく接着剤で接着する。
同様に第４折線７０を介して第２差込部形成片７２を折り曲げると共に第２差込部形成折曲線７２Ａ，７２Ａで第２差込部形成片７２を折り曲げて平面視三角形状の第２挿入係止部７４を形成する。なお、第２差込部形成片７２が平面視三角形状を維持すべく接着剤で接着する。
そして、図２に示されるようにトレー体１２の上方に商品収容体１４を配設して商品収容体１４の第１挿入係止部６６をトレー体１２の第１差込開口３２に挿入し、前記第２差込部７４をトレー体１２の第２差込開口３６に挿入する。前記第１挿入係止部６６は前記第１差込開口３２に、前記第２差込部７４は前記第２差込開口３６にそれぞれフィットした状態で差し込まれるので、商品収容体１４はトレー体１２に確実に取り付けられ容易にトレー体１２から商品収容体１４が外れたりすることはない。
従って、図１に示されるように、トレー体１２に複数の商品収容体１４を立てた状態で整然と確実に並べて配設することができる。
また、図６に示されるように、商品陳列什器１０のトレー体１２の底面体１８は平板状に形成されているため容易に商品陳列什器１０を多段に積み重ねることができると共に多段に積み重ねた商品陳列什器１０が崩れたりすることを防止することができる。これにより、商品陳列什器１０は多段に積み重ねることができるので、広い販売スペースを確保できなくても限られた販売スペースで多数の商品を効率よく陳列、販売することができる。
また、商品陳列什器１０を多段に積み重ねても商品が直接収容されたケース体４０は立ち上がった状態で配設されるので、消費者は商品を見つけ易く、商品の見落としを抑えることができる。しかも、実施例の商品陳列什器１０においては正面立上体２０に正面立上体切欠部２２が切り欠き形成されているので、正面立上体切欠部２２を通してケース体４０内の商品をよりよく見ることができる。
さらに、前記商品陳列什器１０の商品収容体１４のケース体４０に収容された商品を不法に持ち去ろうとしても、商品収容体１４が嵩張るので万引きの抑止効果があると共に商品が収容された商品収容体１４をバッグ等に仕舞い込むことができないので万引き防止の効果がある。
【００１０】
なお、商品陳列什器１０の組立手順は実施例に示した手順に限定されるものでないことは勿論であり、他の手順で組み立ててもよいことは勿論である。
また、実施例ではトレー体１２は段ボールを折り曲げて形成したが、トレー体１２の材料は段ボールに限定されるものでなく、また、トレー体１２は組立タイプでなくて適宜材料を使用して一体的に形成してもよいことは勿論である。
また、実施例ではケース体４０を透明な合成樹脂材で形成し、ケース体台紙４２を厚紙で形成したが、これらの材料に限定されるものでないことは勿論である。
なお、実施例では第１差込開口３２、第２差込開口３６及び第１差込部６６、第２差込部７４は平面視三角形状に形成したが、前記第１差込開口３２、第２差込開口３６及び第１差込部６６、第２差込部７４は平面視三角形状に限定されるものでなく、平面視四角形状等の他の多角形状に形成してもよいことは勿論である。
また、実施例では商品陳列什器１０を２段積み重ねた状態を図６で示したが、商品陳列什器１０は１段で使用しても、３段以上に積み重ねて使用してもよいことは勿論である。
【産業上の利用可能性】
【００１１】
本考案の商品陳列什器は、多段に積み重ねて使用する場合以外にも使用することができる。
【符号の説明】
【００１２】
１０    商品陳列什器
１２    トレー体
１４    商品収容体
１６    開口部
１８    底面体
２０    正面立上体
２２    正面立上体切欠部
２４    背面立上体
２６    第１側面立上体
２８    第２側面立上体
３０    天板部
３２    第１差込開口
３４    天板部
３６    第２差込開口
４０    ケース体
４２    ケース体台紙
４４    商品取出開口部
４６    商品収容スペース
４８    係止片
５０    中央プレート部
５２    ケース体挿入開口部
５４    第１折線
５６    開口部開閉片
５８    第２折線
６０    折曲片
６２    第３折線
６４    第１差込部形成片
６４Ａ  第１差込部形成折曲線
６６    第１差込部
７０    第４折線
７２    第２差込部形成片
７２Ａ  第２差込部形成折曲線
７４    第２差込部
【図１】
0003180222.tif 000003
【図２】
0003180222.tif 000004
【図３】
0003180222.tif 000005
【図４】
0003180222.tif 000006
【図５】
0003180222.tif 000007
【図６】
0003180222.tif 000008